(57)【要約】【課題】電池残量と使用者の操作等に応じて変化する機能の状態と、電池残量とを、大型化を避け低コストで、１つの指針を用いて表示するようにした電子時計を提供すること。【解決手段】所定の機能を実行するとともに、外部操作部材７による操作と電源８の残量に基づいて互いに異なる第１状態と第２状態とを選択する機能実行手段２１と、機能実行手段２１の動作を制御する制御手段２３を有し、指針４１の第１回転範囲４３内に、機能実行手段が第１状態であることを表す情報と電源の残量を表す情報４５ａ〜４５ｃとを同時に表示する第１表示部４５を設け、第１回転範囲４３とは異なる指針４１の第２回転範囲４４内に、機能実行手段が第２状態であることを表す情報と電源の残量を表す情報４６ａ〜４６ｅとを同時に表示する第２表示部４６を設けた電子時計。【選択図】  図１
2012150035.tif 000002
【特許請求の範囲】
【請求項１】
外部操作部材と、電源と、指針と、該指針を駆動する指針駆動手段と、
所定の機能を実行するとともに、少なくとも前記外部操作部材による操作と前記電源の残量に基づいて、互いに異なる第１状態と第２状態とをとる機能実行手段と、
該機能実行手段の動作を制御する制御手段を有し、
前記指針の第１回転範囲内に、前記機能実行手段が前記第１状態であることを表す情報と前記電源の残量を表す情報とを同時に表示する第１表示部を設け、
前記第１回転範囲とは異なる前記指針の第２回転範囲内に、前記機能実行手段が前記第２状態であることを表す情報と前記電源の残量を表す情報とを同時に表示する第２表示部を設けたことを特徴とする電子時計。
【請求項２】
前記第１表示部で表示する残量情報と、前記第２表示部で表示する残量情報の少なくとも一部が同じ残量を表示することを特徴とする請求項１に記載の電子時計。
【請求項３】
前記第１表示部においては、前記指針の１つの指示部で前記第１状態にあることと前記残量情報とを表示し、前記第２表示部においては、前記１つの指示部で前記第２状態にあることと前記残量情報とを表示する表示態様としたことを特徴とする請求項１に記載の電子時計。
【請求項４】
前記外部操作部材の操作に基づいて、前記制御手段が前記機能実行手段を前記第１状態から前記第２状態に切り替えるときに、前記制御手段は前記第１表示部で表示していた残量の値を前記第２表示部で表示するように前記指針駆動手段を制御し、
前記外部操作部材の操作に基づいて、前記制御手段が前記機能実行手段を前記第２状態から前記第１状態に切り替えるときに、前記制御手段は前記第２表示部で表示していた残量の値を前記第１表示部で表示するように前記指針駆動手段を制御することを特徴とする請求項１から３のいずれか１項に記載の電子時計。
【請求項５】
前記第２表示部に、前記電源の残量が所定値未満であることを表す２つの残量低下表示部を設け、前記制御手段は、
前記電源の残量が所定値以上から所定値未満に変化したことにより、前記第１状態にある前記機能実行手段を前記第２状態に切り替えるとともに、
前記機能実行手段が前記第１状態にある間に前記電源の残量が前記所定値以上から前記所定値未満に低下した場合には、前記指針が前記２つの残量低下表示部の一方を指示し、
前記機能実行部が前記第２状態にある間に前記電源の残量が前記所定値以上から前記所定値未満に低下した場合には、前記指針が前記２つの残量低下表示部の他方を指示するように、
前記指針駆動手段を制御することを特徴とする請求項１から４のいずれか１項に記載の電子時計。
【請求項６】
前記第１回転範囲と前記第２回転範囲の角度の和を３６０度未満に設定し、さらに、３６０度までの余剰の角度範囲を利用して前記指針の第３回転範囲を設け、該第３回転範囲内に、前記第１表示部と前記第２表示部とは異なる情報を表示する第３表示部を設けたことを特徴とする請求項１から５のいずれか１項に記載の電子時計。
【請求項７】
前記第１表示部と前記第２表示部とを互いに対向するように配置し、一方の表示部においては時計回りに前記残量が多い状態から少ない状態に変化したことを表わす指標を設け、他方の表示部においては反時計回りに前記残量が多い状態から少ない状態に変化したことを表わす指標を設けたことを特徴とする請求項１から６のいずれか１項に記載の電子時計。
【請求項８】
前記第１表示部は前記指針の回転軸からの半径が第１長さの位置に円弧状に設けられ、前記第２表示部は前記指針の回転軸からの半径が前記第１長さとは異なる第２長さの位置に円弧状に設けられていることを特徴とする請求項１から７のいずれか１項に記載の電子時計。
【請求項９】
前記所定機能は、他の無線通信機器との無線通信によるリンク接続が可能な無線通信機能であって、前記機能実行手段は前記リンク接続を実現する無線通信手段であり、
前記第１状態は前記リンク接続がなされているリンク接続状態であり、前記第２状態は前記リンク接続がなされていないリンク切断状態であることを特徴とする請求項１から８のいずれか１項に記載の電子時計。
【請求項１０】
前記リンク接続状態において、前記外部操作部材の第１操作により、あるいは前記残量が第１所定値以下になるか、または前記リンク接続が不可能な通信距離となったとき、前記リンク接続状態から前記リンク切断状態に切り替わり、
前記リンク切断状態において、前記残量が前記第１所定値を上回るかまたは前記第１所定値を上回る第２所定値以上であり、かつ前記リンク接続が可能な通信距離であるときに、前記外部操作手段による第２操作によって、前記リンク接続状態に切り替わるように、
前記制御手段が前記機能実行手段を制御することを特徴とする請求項９に記載の電子時計。
【発明の詳細な説明】
【技術分野】
【０００１】
本発明は、指針で情報を表示する電子時計に関する。更に詳しくは、電子時計が有する機能の状態と電源の残量とを同時に指針によって視認することができる電子時計に関する。
【背景技術】
【０００２】
携帯電話機の普及に伴い、携帯電話機と無線で交信することができる時計（特に腕時計）を利用して、携帯電話の有する機能を間接的に制御するか、または、携帯電話が有する情報を腕時計に送信して腕時計で表示するという要求が生まれてきた。そしてその制御や表示が実行中であるかどうかを示す表示が必要になるとともに、無線による交信には通常の時計機能よりも大きな電力が必要であるため、時計の備える電源である電池の残量（使用可能な残存電気量）の変化にも注意を促す必要がある。更にその時計を、メカニックで高級感のある指針式時計として実現することも求められている。
【０００３】
＜特許文献１の説明＞
従来から、携帯電話機のような携帯型の、従って電源の容量に制約のある電子機器について、その機能の実行中に、電池の残量、あるいは今後継続して機能の実行を継続できる時間についての情報を表示する技術が種々提案されている。下記特許文献１はその一例である。
【０００４】
特許文献１は、通信可能距離、通信速度、通信中の消費電力が互いに異なる２つの通信方式を使用者が選択して用いることができる携帯電話機を記載している。そして、使用者がどちらの通信方式を使用中であるかという情報と、それぞれの通信方式のいずれかを継続する場合、それぞれの通信方式について使用可能な残り時間に関する情報を、携帯電話機の表示画面上に表示する。
【０００５】
図１１は特許文献１の図６における、上記情報を表わすモニタ１５０に表示された図形を示す。円筒型電池の断面を模した２つの凸型外形の枠を有するインジケータ１５０Ａと１５０Ｂは、それぞれ無線ＬＡＮ通信方式（ＷＬＡＮの文字で表示され、通信範囲は比較的狭いが通信速度が速く、消費電力はより小さい）とＷ−ＣＤＭＡ方式（より広範な通信範囲をサポートするが、通信速度と消費電力が異なる）とに対応しており、枠の表示色が濃い方が使用中の方式に対応する。
【０００６】
凸型の枠内に並べられた数個の短冊形の図形は、濃色を呈するものの数が多いほど電源電池の残量が多いこと、従って通話可能な残り時間が長いことを段階的に示している。即ち、同図（ａ）は現在ＷＬＡＮ方式を用いているが、いずれの通信方式を用いても残存通信時間が十分多いこと、（ｂ）、（ｃ）はそれぞれの下部に記載した説明文のように、一方の通信方式のみが使用できる状態、また両方式とも使用できなくなった状態を示している。
【０００７】
このようなインジケータを備えることにより、携帯電話の使用者は、気がつかないうちに、一方の通信方式が使用できなくなってしまうことを防ぐことができる。
【０００８】
＜特許文献２の説明＞
特許文献２は、電池の残量を表示するものではないが、指針によって腕時計における機能の実行状態を表示する、電波腕時計の例を記載している。図１２（特許文献２の図２を使用）において、時計の文字板の外周部には、ほぼ１〜４時の角度範囲に、上からＨ、Ｍ
、Ｌ、ＮＯ／Ｅ、ＲＸの各文字マークが記され、またほぼ８〜１１時の角度範囲に、上からＨ、Ｍ、Ｌ、ＮＯ／Ｗ、ＲＸの各文字マークが記されている。
【０００９】
標準時刻信号を含む標準電波を受信する動作を時計が行ったとき、通常は時刻を表示している秒針が臨時に移動して、上記文字マークの１つを指す。これによって、標準電波の前回の受信結果を使用者に知らせることができる。
【００１０】
文字ＮＯは受信が不成功であったことを、Ｈは受信感度のレベルが十分良好であったことを、Ｍはまずまずであったことを、Ｌは受信はできたが感度が良好ではなかったことを示す。また文字Ｅは文字板の右側（３時側）に並ぶマークは標準電波の東側の発信局（福島県）に対応し、Ｗは文字板の左側（９時側）に並ぶマークが西側の発信局（佐賀県）に対応することを示している。またマークＲＸは、受信が設定された所定時ではなく、使用者の操作によって強制的に行われた場合にまず秒針によって指示される。
【先行技術文献】
【特許文献】
【００１１】
【特許文献１】特開２００９−２０６９５２号公報
【特許文献２】特開２００３−１２１５７１号公報
【発明の概要】
【発明が解決しようとする課題】
【００１２】
特許文献１に記載された技術のように、２つの状態と、それぞれの状態における電池の残量を表示したい場合、これを指針によるアナログ的表示で実現しようとすると、例えば２つの状態の一方を指示する指針と、電池の残量を指示する指針の２つの指針を必要とし、それらを駆動する２つの電気機械変換器（モータ）を必要とするし、文字板上にスペースも要し、小型化の点でもコストの点でも不利である。
【００１３】
特許文献２に記載された技術は、指針を用いてはいるが、電池残量に関する情報は表示しないし、電池残量に関連させた機能状態の表示は行われていない。
【００１４】
結局、電子時計の指針によるアナログ的表示により、電池残量と、この電池残量に依存するとともに使用者の選択や使用環境によって状態が変化する機能の動作状態とを、小型化および低コスト化が可能な様式によって、視認しやすく表示する従来の技術は見出せなかった。
【００１５】
本発明の目的は、電源の残量と使用者の操作や使用状況に応じて変化する機能の状態と、電源残量とを、大型化を避け低コストで、１つの指針を用いてわかり易く表示するようにした電子時計を提供することである。
【課題を解決するための手段】
【００１６】
外部操作部材と、電源と、指針と、該指針を駆動する指針駆動手段と、所定の機能を実行するとともに、少なくとも前記外部操作部材による操作と前記電源の残量に基づいて、互いに異なる第１状態と第２状態とをとる機能実行手段と、該機能実行手段の動作を制御する制御手段を有し、前記指針の第１回転範囲内に、前記機能実行手段が前記第１状態であることを表す情報と前記電源の残量を表す情報とを同時に表示する第１表示部を設け、前記第１回転範囲とは異なる前記指針の第２回転範囲内に、前記機能実行手段が前記第２状態であることを表す情報と前記電源の残量を表す情報とを同時に表示する第２表示部を設けたことを特徴とする。
【００１７】
このような構成にすることによって、１つの指針を用い、その回転範囲を分割して、機
能実行手段が２つの状態のいずれにあるかの情報と、使用している状態における電源の残量とが同時に表示されるので、表示がわかりやすく、また電子時計の大型化とコストアップを避けることができる。
【００１８】
前記第１表示部で表示する残量情報と、前記第２表示部で表示する残量情報の少なくとも一部が同じ残量を表示することを特徴とする。
【００１９】
また更にこのような構成にすることによって、第１、第２表示部での残量表示を共通化させ、残量の確認を容易にすることができる。
【００２０】
前記第１表示部においては、前記指針の１つの指示部で前記第１状態にあることと前記残量情報とを表示し、前記第２表示部においては、前記１つの指示部で前記第２状態にあることと前記残量情報とを表示する表示態様としたことを特徴とする。
【００２１】
また更にこのような構成にすることによって、指針の１つの指示部を見るだけで、容易に２つの情報を読み取ることができる。
【００２２】
前記外部操作部材の操作に基づいて、前記制御手段が前記機能実行手段を前記第１状態から前記第２状態に切り替えるときに、前記制御手段は前記第１表示部で表示していた残量の値を前記第２表示部で表示するように前記指針駆動手段を制御し、前記外部操作部材の操作に基づいて、前記制御手段が前記機能実行手段を前記第２状態から前記第１状態に切り替えるときに、前記制御手段は前記第２表示部で表示していた残量の値を前記第１表示部で表示するように前記指針駆動手段を制御することを特徴とする。
【００２３】
また更にこのような構成にすることによって、機能実効手段が第１状態から第２状態に切り替わったり、第２状態から第１状態に切り替わったりしても、切り替え前に表示していた残量に対応する残量が切替え後にも表示されるので機能実効手段の状態と残量の２つの情報の読み取りが容易になる。
【００２４】
前記第２表示部に、前記電源の残量が所定値未満であることを表す２つの残量低下表示部を設け、前記制御手段は、前記電源の残量が所定値以上から所定値未満に変化したことにより、前記第１状態にある前記機能実行手段を前記第２状態に切り替えるとともに、  前記機能実行手段が前記第１状態にある間に前記電源の残量が前記所定値以上から前記所定値未満に低下した場合には、前記指針が前記２つの残量低下表示部の一方を指示し、  前記機能実行部が前記第２状態にある間に前記電源の残量が前記所定値以上から前記所定値未満に低下した場合には、前記指針が前記２つの残量低下表示部の他方を指示するように、前記指針駆動手段を制御することを特徴とする。
【００２５】
また更にこのような構成にすることによって、指針が２つの残量低下表示部のいずれにあるかを見ることにより、第１状態からの残量低下により第２状態に移行したのか、第２状態において残量低下が生じたのかを容易に識別することができる。
【００２６】
前記第１回転範囲と前記第２回転範囲の角度の和を３６０度未満に設定し、さらに、３６０度までの余剰の角度範囲を利用して前記指針の第３回転範囲を設け、該第３回転範囲内に、前記第１表示部と前記第２表示部とは異なる情報を表示する第３表示部を設けたことを特徴とする。
【００２７】
また更にこのような構成にすることによって、同じ指針を用いて他の情報も得られるので、表示部材の有効利用性を増すことができる。
【００２８】
前記第１表示部と前記第２表示部とを互いに対向するように配置し、一方の表示部においては時計回りに前記残量が多い状態から少ない状態に変化したことを表わす指標を設け、他方の表示部においては反時計回りに前記残量が多い状態から少ない状態に変化したことを表わす指標を設けたことを特徴とする。
【００２９】
また更にこのような構成にすることによって、互いに対向する２つの表示部において、残量の変化の向きが同じになり、感覚的にわかり易くなる。
【００３０】
前記第１表示部は前記指針の回転軸からの半径が第１長さの位置に円弧状に設けられ、前記第２表示部は前記指針の回転軸からの半径が前記第１長さとは異なる第２長さの位置に円弧状に設けられていることを特徴とする。
【００３１】
また更にこのような構成にすることによって、２つの表示部を感覚的に分離し、明確に認識することができる。
【００３２】
前記所定機能は、他の無線通信機器との無線通信によるリンク接続が可能な無線通信機能であって、前記機能実行手段は前記リンク接続を実現する無線通信手段であり、前記第１状態は前記リンク接続がなされているリンク接続状態であり、前記第２状態は前記リンク接続がなされていないリンク切断状態であることを特徴とする。
【００３３】
また更にこのような構成にすることによって、他の無線通信機器とのリンク接続状態かリンク切断状態かの視認判別が容易な電子時計を提供できる。
【００３４】
前記リンク接続状態において、前記外部操作部材の第１操作により、あるいは前記残量が第１所定値以下になるか、または前記リンク接続が不可能な通信距離となったとき、前記リンク接続状態から前記リンク切断状態に切り替わり、前記リンク切断状態において、前記残量が前記第１所定値を上回るかまたは前記第１所定値を上回る第２所定値以上であり、かつ前記リンク接続が可能な通信距離であるときに、前記外部操作手段による第２操作によって、前記リンク接続状態に切り替わるように、前記制御手段が前記機能実行手段を制御することを特徴とする。
【００３５】
また更にこのような構成にすることによって、使用者は、電源の残量状態を確認し、リンク切断状態からリンク接続状態に移行することができるかどうかを一目で確認することができる。
【発明の効果】
【００３６】
電源の残量と、外部操作部材による操作と電源の残量とに依存する機能の状態を、１つの指針で表示するので、その機能を有する電子時計の小型化および低コスト化を可能にするとともに、これらの情報が同時に表示されるので、使用者にわかり易いという効果を有する。
【図面の簡単な説明】
【００３７】
【図１】実施例１における指針式腕時計１の外観の正面図と、腕時計１に内蔵される、本発明に関する電子回路２の機能構成を表示したブロック図である。
【図２】実施例１の部分正面図で、表示部４の態様を示す。
【図３】実施例１の指針４１の移動を示す図である。
【図４】実施例１の指針４１の移動を示す図である。
【図５】制御手段２３の動作のフローチャートである。
【図６】表示面３の部分正面図で、実施例１の変形例１における表示部４の態様を示す。
【図７】表示面３の部分正面図で、実施例１の変形例２における表示部４の態様を示す。
【図８】表示面３の部分正面図で、実施例１の変形例３における表示部４の態様を示す。
【図９】表示面３の部分正面図で、実施例１の変形例４における表示部４の態様を示す。
【図１０】実施例２の部分正面図で、表示部４の態様を示す。
【図１１】従来例１（特許文献１）におけるモニタ画面の正面図である。
【図１２】従来例２（特許文献２）における指針表示面の正面図である。
【発明を実施するための形態】
【００３８】
以下、通常の時刻表示機能の他に、外部機器と無線で交信することによりリンク接続し、それを制御する機能を備えた指針式電子時計の実施例について説明する。
【実施例１】
【００３９】
図１は、指針式腕時計１の正面の外観と、腕時計１に内蔵される、本発明に関する電子回路２を機能ブロック手段として表示したブロック図を示す。３は時計の表示面で、時針３ａ、分針３ｂの他、小さめの指針が指示することによって機能情報が表示される機能表示部４、５、６を有する。指針４１を備えた機能表示部４が本発明に関わるものである。通常の時刻表示機能については説明を省略する。さらに、機能表示部５、６は本発明以外の機能（例えばカレンダの日付、他の機能の使用状態、クロノグラフ等）の表示に関するものであるため、これらについても詳細な説明は省略する。外部操作部材７（リューズ７ａ、プッシュボタン７ｂ、７ｃ等）は本発明に関する機能を含めて時計の有する機能を制御するものである。
【００４０】
電池８は時計全体の電源である。電池８は一次電池には限られず、二次電池や容量素子であってもよい。また図示しないが、光発電装置や温度差発電装置、あるいはその他の充電用装置を併設していてもよい。
【００４１】
無線通信手段２１は機能実行手段であり、電子時計１の外部に存在する他の無線通信機器（図示しないが、例えば腕時計の使用者が別途身近に所持する携帯電話機）と短距離（例えば約１０ｍ以内）の無線通信により交信する。この交信が成立している状態を接続している、リンクしている、またはリンクＯＮの状態であるといい、外部無線機器との交信が切断されたか、できない状態をリンクＯＦＦという。
【００４２】
電子時計１は他の無線通信機器から情報を受け取って使用者に知らせる。（例えばメールが着信したことを知らせる信号を受けて、電子時計の振動アラーム機構を駆動する等。）また、電子時計１からは例えば使用者が外部操作部材７のいずれかを操作することによって他の無線通信機器に対してその動作を制御する信号を発信するようにしてもよい。（例えば携帯電話機に対して受信確認の返信を指示するとか、後刻まで返信を保留するよう指示する等。）
【００４３】
無線による送受信は、双方の機器が特定される必要があり、例えばＢｌｕｅｔｏｏｔｈ（登録商標）方式などが用いられる。リンクＯＮの状態は、双方の機器間で時々認証信号が相互に確認されて維持される。双方の機器間の通信は、傍受されないよう特定の周波数で行われる。また、無線通信は、普通の時計機能における場合と比較して、格段に消費電力が大きいので、電池８の残存電気量（以下、電池残量、または単に残量とも記すことがある）には注意を払わなければならない。電池電圧検出手段２２は、残存電気量と相関が高い情報として電池８の電圧を所定の時間間隔で監視し、制御手段２３にその情報を伝える。
【００４４】
制御手段２３には、外部操作部材７の操作信号、無線通信手段２１による相手機器からの信号、電池電圧検出手段２２からの電圧信号が入力され、制御手段２３は、それらの情報を総合して時計１の機能表示部４の指針４１を適切な角度位置まで駆動する作用を担う指針駆動手段２４に対して駆動信号を出力する。
【００４５】
図２は電子時計１の表示面３のほぼ２時位置にあるほぼ円形の表示部４のみの正面図で、その詳細を拡大して示すものである。
【００４６】
表示部４には、指針４１と、その回転範囲（本実施例では円形をなす小文字板）と、それが指示する、３種類に大きく区分けされた表示部（小文字板の外周部付近に設けられ、文字板３に印刷等の手段によって固定された表示）が含まれるものとする。
【００４７】
＜第１回転範囲と第１表示部＞
時計の表示面３の１０時半−４時半方向に平行し、指針４１の回転軸を通って表示部４上に引いた仮想直線４２の右側（表示面３の３時側）の１３５度にわたる表示部４の領域は、本実施例における指針４１の第１回転範囲４３である。この範囲内に第１表示部４５を設ける。第１表示部４５に指針４１があるときは、機能実行手段が第１の状態にあることを示す。即ち本実施例においては無線通信手段２１によって電子時計１と外部の無線通信機器（例えば携帯電話機）がリンクＯＮ状態であることを示す。なお、領域４５ｃに連続して領域４６ｅが設けられているが、これは後術する第２表示部に属する。
【００４８】
本実施例においては、第１の回転範囲４３の角度範囲の全部に第１表示部４５を設ける。第１表示部４５には、指標として、上端が太く、下端が細い円弧状の図形が画かれ、それが更にほぼ扇形の３つの領域４５ａ、４５ｂ、４５ｃに区分されている。扇形の厚み（円弧の半径方向の幅）は、領域４５ａが最も大きく、以下順に４５ｃに向かって小さくなっている。電池残量が低下すると、この順で指針４１の指示が変化する。これらは電源電池８の残量（残存する電気量）の、多い状態から少ない状態への変化を時計周りに視覚的に表示させるためのものである。
【００４９】
指針４１が扇形厚みが最大である領域４５ａを指しているときは、リンクＯＮでかつ電池８の残量が十分（ほぼ満タンまたはそれに近い）であることを示す。また領域４５ｂを指すときは、残量がやや減ったがまだリンクＯＮを十分維持できる状態であることを示す。また領域４５ｃを指すときは、リンクＯＮを維持しているが、電池残量が乏しくなった状態を示す。
【００５０】
リンクＯＮ状態で電池残量が更に低下すると、もはやリンクＯＮを維持することは断念され、制御手段２３は無線通信手段２１を自動的に停止させ、リンクＯＦＦにする。このとき指針４１は、後述する最も薄い扇形領域４６ｅを指示する。
【００５１】
このように、第１表示部４５では、リンクONであることと電池の残量とを同時に表示す
る。
【００５２】
＜第２回転範囲と第２表示部＞
仮想直線４２の左側（９時側）の左下の９０度にわたる表示部４の領域４４は、本実施例における指針４１の第２回転範囲４４であり、この角度範囲内に第２表示部４６を設ける。即ち、第２表示部４６に指針４１があるときは、機能実行手段が第２の状態であること、即ち本実施例においては、電子時計１と他の無線通信機器とのリンクがＯＦＦであることを示す。第１表示部４５と第２表示部４６は、指針軸の中心を通る仮想線４２を挟んで互いに対向するように配置されている。
【００５３】
指針４１が第２表示部４６を指示する場合は、本実施例においては次のとおりである。（１）外部操作部材７によってリンクを切断する操作がなされたとき、（２）リンクＯＮ状態であったが、電子時計１と外部の無線通信機器（携帯電話機等）との距離が離れてしまい、相互に認証信号を交換できず、通信不可能状態となったとき、（３）リンクＯＮ状態から電池残量が不足してリンクＯＦＦとなったとき、（４）前記（３）から更にリンクＯＮ操作がないまま状態が変化した場合。（例えば電池残量が回復した場合が該当するが、一旦リンクＯＦＦになると、残量が回復しても、自動的にリンクＯＮには戻らない。再びリンクＯＮとするには使用者がその操作をしなければならない。）
第２表示部４６には、指標として、回転範囲の全部に上端が太く下端が細い円弧状の図形が画かれ、それが更にほぼ扇形の５つの領域４６ａ、４６ｂ、４６ｃ、４６ｄ、４６ｅに区分されている。扇形の厚み（円弧の半径方向の幅）は、領域４６ａが最も大きく、以下順に４６ｄや４６ｅ（これらはほとんど三角形状をなす）に向かって小さくなっている。電池残量が低下すると、４６ａ、４６ｂ、４６ｃ、４６ｄの順で指針４１の指示が変化する。また、第１表示部の領域４５ｃから電池残量が低下すると、領域４５ｃから領域４６ｅに指針４１の指示が変化する。これらは電源電池８の残量（残存する電気量）の、多い状態から少ない状態への変化を反時計周りに視覚的に表示させたものである。
指針４１が扇形厚みが最大である領域４６ａを指しているときは、リンクＯＦＦではあるが、リンクＯＮ時に領域４５ａを指すときとほぼ同量の電池残量があることを示している。領域４６ｂと領域４５ｂ、領域４６ｃと領域４５ｃも電池残量に関しては相互にほぼ等しくしてある。このように、第１表示部と第２表示部とで、ほぼ同じ残量を表示する表示部を設けることで、リンクＯＮ状態とリンクＯＦＦ状態との間の状態の変化に対応して、残量を表示することができる。
【００５４】
また、領域４６ｄと４６ｅは、領域４５ｃと４６ｃよりも少ない電池残量であることを示している。このようにしておくと、リンクＯＦＦ状態からリンクＯＮ状態に切り替えようとする場合、リンクＯＮ状態ではどのくらいの電池残量になるかを操作前に予知できるので便利である。
【００５５】
指針４１が領域４６ｄと４６ｅ（いずれもほぼ三角形状）を指すときは、電池８の消耗が進んでしまい、リンクＯＮに切り替えようとしても最早それに耐えるだけの残量がなくなった状態であることを示すものである。
【００５６】
このように、第２表示部４６では、リンクＯＦＦであることと電池の残量とを同時に表示する。
【００５７】
尚、指針４１が領域４６ｃにあるときは、領域４６ｄや４６ｅに比較すると電池残量は比較的高いが、リンク接続をするとすぐに電池８の消耗が進む可能性があるため、リンクＯＮに切替えることが禁止された状態であることを示すものである。なお、この領域４６ｃとほぼ同じ電池残量である、リンクＯＮ状態の領域４５ｃでは、リンクＯＮ状態を維持させている。
【００５８】
すなわち、リンクＯＮからＯＦＦに自動的切り替わる電池残量４５ｃを第１所定値としたとき、リンクＯＦＦからＯＮに切替えることが可能な電池残量４６ｂを、第１所定値より高い電池残量である第２所定値を上回る条件に設定することで、リンクＯＦＦ状態からリンクＯＮ状態に切替えたときに、すぐに、リンクＯＮ状態からリンクＯＦＦ状態に戻ることを防止している。
【００５９】
また、このような心配がない場合は、リンクＯＮからＯＦＦに自動的切り替わる電池残量４５ｃを第１所定値としたときに、リンクＯＦＦからＯＮに切替えることが可能な電池残量を、第１所定値と同じ電池残量４６ｃに設定してもよい。
【００６０】
＜状態が変化した場合における、第１、第２表示部間の指針の移動＞
数個の例を示し、指針４１の動作を明確にする（既述の事項との重複もある）。図３、図４は、指針４１の移動を示す図である。
（１）リンクＯＦＦ→ＯＮ切替操作：領域４６ａ，４６ｂ→同段階の４５ａ，４５ｂへ。図３（ａ）は、指針４１が領域４６ｂから領域４５ｂに移動した例である。
（２）リンクＯＮ→ＯＦＦ切替操作：領域４５ａ〜４５ｃ→同段階の４６ａ〜４６ｃへ。図３（ｂ）は、指針４１が領域４５ｂから領域４６ｂに移動した例である。
（３）リンクＯＮ中に相手機器との距離が、通信不能になるまで離れた：領域４５ａ〜４５ｃ→残量が同じ段階の４６ａ〜４６ｃへ。この表示例を図３（ｂ）に示す。
（４）リンクＯＮのまま残量低下：領域４５ｃ→領域４６ｅへ。この表示例を図３（ｃ）に示す。
（５）リンクＯＦＦのまま残量低下：領域４６ｃ→領域４６ｄへ。この表示例を図３（ｄ）に示す。
（６）（４）の状態から残量が回復：領域４６ｅ→４６ｄ→４６ｃ〜４６ａへ。図４（ａ）は、指針４１が領域４６ｅから領域４６ｄ、領域４６ｄから領域４６ｃに移動した例である。
（７）（５）の状態から残量が回復：第２表示部４６内で４６ｄ→４６ｃ〜４６ａへ。図４（ｂ）は、指針４１が領域４６ｄから領域４６ｃに移動した例である。
（８）領域４６ｃ，４６ｄからのリンクＯＮ切替操作→不可。リンクＯＮせず、指針移動もない。図４（ｃ）は、指針４１が領域４６ｃから移動しない場合の例である。
【００６１】
第２表示部に、電池残量が低下したことを示す２つの領域４６ｅと４６ｄを設け、一方の領域４６ｅは、図３（ｃ）のように、リンクＯＮ状態にある間に４５ｃ以上から４５ｃ未満に電池残量が低下してリンクＯＦＦに切り替わった状態を表示し、他方の領域４６ｅは、図３（ｄ）のように、リンクＯＦＦ状態にある間に電池残量が４６ｃ以上から４６ｃ未満に低下したことを表示することで、電池残量とリンクＯＦＦ状態であることだけではなく、自動的にリンクＯＮからＯＦＦに切り替わってしまったのか否かを知ることもできる。
【００６２】
＜第３回転範囲と第３表示部＞
仮想直線４２を跨る左上の９０度の領域４７は、本実施例における指針４１の第３回転範囲であり、第１回転範囲４３と第２回転範囲４４の余剰の角度範囲に設けたものである。すなわち、第１回転範囲４３と第２回転範囲の確度の和が３６０度未満に設定されていて、３６０度までの残りの角度が余剰の角度である。この角度範囲内に設けた第三表示部４８に指針４１があるときは、指針４１は機能実行手段の状態には限らず、電子時計１における他の情報を表示する。本実施例においては、７つの曜日に対応する英字の頭文字をこの領域に配し、このうちの１字を指針４１が指すことにより、カレンダの曜日表示を行う。この表示を行わせるときには、外部操作部材７を操作して、電子時計１をカレンダ表示モードに設定しておくものとする。
【００６３】
＜制御手段の動作のフローチャート＞
図５は制御装置２３の動作を説明するフローチャートである。
【００６４】
制御手段２３は、動作スタート後、まずステップ３０１ではリンクが切断されていて、次のステップ３０２で指針駆動手段２４を介して指針４１を駆動し、表示部４の第２表示部（第２回転範囲）の領域４６ａ〜４６ｅを用いてリンクＯＦＦであることとそのときの電池残量を表示させる。
【００６５】
次いでステップ３０３でリンク接続操作をしたかを判定する。リンク接続操作は、プッシュボタン７ｃの押下である。ＹＥＳであれば次に進み、ステップ３０４では電池残量が４段階表示で２以上（領域４４ａまたは４４ｂ相当）あるかがチェックされる。ＹＥＳならば次に外部の無線機器との相互認証のための交信が行われ、ステップ３０５で認証成功したかを問う。更にＹＥＳならばステップ３０６でリンクＯＮとし、次のステップ３０７で指針４１が第１表示部４５に移動してリンクＯＮであることを示し、該当する残量の領域（この場合は４５ａまたは４５ｂ）を指す（リンクＯＮ状態で無線通信動作が開始される）。なお、ステップ３０４で、残量が領域４６ｃ〜４６ｅ〔残量レベルが「１」または「０」〕に相当するときは、接続操作をしても残量不足とされ、リンクＯＮにはならない。
【００６６】
次にステップ３０８で電池残量がまだ段階１（領域４５ｃ相当）あるかがチェックされ、ＹＥＳであれば更にステップ３０９でリンク切断操作があったか否かがチェックされる。またステップ３１０でリンクＯＮを維持できているか（通信中、間欠的に認証交信を行って確認動作をしている）がチェックされ、ＹＥＳであればステップ３０６の入口側に戻り、以上の動作ループが反復されてリンクＯＮ状態が継続される。
【００６７】
ステップ３０３、３０４、３０５、３０９、３１０のいずれかでもし判定結果がＮＯであれば、動作ルートはステップ３０１の入口側に戻って、リンクが一旦切断される。もしステップ３０８の判定結果がＮＯであるときはステップ３１１にて一旦リンクを切断し、ステップ３１２で指針４１を第２表示部の領域４６ｅに移動させ残量なしを表示させる。次にステップ３１３にて電池残量が回復したかがチェックされる。その結果がＹＥＳ（回復あり）であれば、ステップ３１４で表示部４６ａ〜４６ｄにより電池残量とリンクＯＦＦであることを表示する。そして、ステップ３０３に戻ってメインの動作を反復し、ＮＯであればステップ３１１〜３１３のループを反復する。
【００６８】
＜実施例１の変形例１＞
図６は表示面３の部分正面図で、実施例１の変形例１における表示部４の態様を示す。
【００６９】
本変形例は、表示部４の固定表示のみを変更したもので、指針４１や他の回路手段等についての変更はない。本変形例の要点は、第２表示部４６の一部（領域４６ａ〜４６ｄ）を指針４１の先端の回転半径よりも内側に食い込ませるように配置したことである。
【００７０】
第１表示部４５は、指針４１の回転軸から半径ｒ１の位置にあり、第２表示部４６は、それよりも短い、指針４１の回転軸から半径ｒ２〜ｒ１の位置にある。
【００７１】
こうすることにより、表示部４が時計表示面３の２時側等にあって、第２表示部４６が時分針３ａ、３ｂの指針軸（時計の中心軸）に接近している場合、第２表示部４６の領域４６を中心軸からやや離すことによって第２表示部付近の見易さを改善したものである。なお、更なる変形例として、第２表示部を、指針４１の先端の回転軌跡の内部に完全に入れてしまうことにより、更に時計の中心軸付近のデザインをすっきりさせることもできる
。
【００７２】
また、仮に、表示部４が、表示面３の２時位置以外の位置にあり、第１表示部４５の方が第２表示部４６よりも時分針３ａ，３ｂの指針軸に近い場合は、第１表示部４５を半径ｒ２の位置に配置し、第２表示部４６を半径ｒ１の位置に配置するとよい。
【００７３】
＜実施例１の変形例２＞
図７は表示面３の部分正面図で、実施例１の変形例２における表示部４の態様を示す。
【００７４】
本変形例は、実施例の変形例１において、更に第３表示部における曜日を表す文字を指針４１の回転軸から遠ざけて配置したもので、その分、電池残量及びリンクＯＮ／ＯＦＦ状態と曜日とが区別されて見やすくなり、曜日の文字間隔が広くなって各文字も大きくすることができる利点がある。実施例１に比してその他の変更はない。
【００７５】
＜実施例１の変形例３＞
図８は表示面３の部分正面図で、実施例１の変形例３における表示部４の態様を示す。
【００７６】
本変形例の表示部４は、実施例１の表示部４の固定表示を、曜日文字の向きのみを保って、反時計回りに約９０度回転させたものである。制御回路２３にも、指針の初期位置を与える構成に関する以外の変更はない。本変形例では、第１表示部と第２表示部のそれぞれにおける電池残量方向表示を、表示面３における２時半−８時半方向の仮想直線４２’を基準として残量減少方向を同じ向き（略２時半から８時半に向かう方向に減少すること）となるので、実施例１と同様な見易さを求めることができる。
【００７７】
＜実施例１の変形例４＞
図９は表示面３の部分正面図で、実施例１の変形例３における表示部４の態様を示す。
【００７８】
本変形例は、第２表示部４６における領域４６ａ、４６ｂ、４６ｃ、４６ｄの４つの領域の円周上の配列方向を、実施例１（図２）のような反時計方向から、第１表示部４５における各表示領域４５ａ〜４５ｃと同じ方向である時計方向に変更したものである。
【００７９】
また第３表示部も省略された。電池残量領域の位置や角度の変更に伴い、制御手段２３の構成のうち、指針駆動手段２４に与える信号を作成する回路構成の一部も変化する。なお、第１・第２両状態における電池残量を指示する領域の配置方向を、いずれも逆に反時計方向としてもよい。
【００８０】
実施例１においては、指針４１が第１表示部、第２表示部のどちらにあっても、残量の変化方向は時計表示面３の下方向（６時方向）が少ないという一定の直感的わかり易さがあったが、第１、第２表示部の配列の回転方向が同じという本変形例の表示態様も、それなりの読み取り易さを有する。また、第１、第２表示部で、同じ残量の領域に等しい角度を与えることができるのも自然である。
【実施例２】
【００８１】
図１０は表示面３の部分正面図で、実施例２における表示部４の態様を示す。
【００８２】
本実施例においては、指針４１は、１つの指針の回転軸の両側に２つの指示部４１ａと４１ｂを有する。固定表示部は、第１表示部４５における、第１状態であることを示す領域４５ｆと、電池残量表示の領域４５ａ〜４５ｃとを分離して設け、前者を指針の指示部４１ａの第１回転範囲４３ａを用いて指示し、後者を指示部４１ｂの第１回転範囲４３ｂで指示する。
【００８３】
同様に、第２表示部４６における、第２状態であることを示す領域４６ｆと、電池残量表示の領域４６ａ〜４６ｄとを分離して設け、前者を指針の指示部４１ａの第２回転範囲４４ａを用いて指示し、後者を指示部４１ｂの第２回転範囲４４ｂによって指示する。
【００８４】
尚、実施例１の第２表示部における領域４６ｅに対応する領域を本実施例では設けていない。従って、リンクＯＮで、指示部４１ｂが第１表示部の領域４５ｃを指示している状態から電池電圧が低下した場合は、リンクＯＦＦとなり、指示部４１ｂは、第２表示部の領域４６ｄを表示する。
【００８５】
このような指示方式でも、例えば、既述の実施例１の変形例４と同等で、かつ必要な情報が得られる。なお、第１表示部４５やそれに属する領域４５ａ〜４５ｃと、第２表示部４６やそれに属する領域４６ａ〜４６ｄとの視覚的な区別を容易にするため、二つの表示部・領域には、例えば図示のように、色または模様の差を与えている。なお、２種類の領域には形状の差があってもよい。
【００８６】
本実施例では、実施例１の変形例４（図９）とは、指針４１の回転角（半分になる）、回転方向（残量減となる方向が反時計方向で、図９とは逆）となる相違がある。それらの差に応じて指針４１の指示位置が異なるので、制御手段２３において、指針駆動手段２４に与える指針駆動信号を作成する手段の論理構成が異なる。
【００８７】
＜その他の実施例または変形例＞
以下、上述したもの以外の、実施例や変形例について例示的に述べる。
（１）機能実行手段とその状態表示のそのほかの例。
（ａ）機能実行手段が電子時計外部の室内照明の調光制御を行う無線通信手段であり、互いに異なる状態の表示として、この通信手段のＯＮ状態とＯＦＦ状態を表示する。
（ｂ）機能実行手段が電子時計内部にある振動モータであり、互いに異なる状態の表示として、この振動モータを駆動可能な状態と可能でない状態を表示する。
（ｃ）機能実行手段が、電子時計内部にある、モータで駆動される負荷、計測用のセンサ（気圧、水圧、その他）、タッチパネルなど殊に比較的消費電力の多い機能を実現する負荷やセンサであり、互いに異なる状態の表示として、これらを動作可能な状態と可能でない状態を表示する。
（２）既述の実施例や変形例では、第２表示部にリンクＯＦＦの２つの電池残量表示部（領域４６ｄと４６ｅ）を設けたが、この領域ではどちらを表示していてもリンクＯＦＦとなるので、一方を省略することも可能である。
（３）既述の実施例では、第１表示部／第２表示部に、それぞれリンクＯＮ／リンクＯＦＦ状態を対応させたが、その他に表示することが望ましい情報（状態）があればそれを対応させてもよい。（例えば、通信不安定状態であった等。）そのため、第３表示部をそれに当てるか、あるいは第４表示部を更に設けるようにしてもよい。また、この情報は、無線通信以外に関するものでもよい。
【００８８】
（４）第１表示部４５、第２表示部４６、電池残量を示す領域４５ａ〜４５ｃ、４６ａ〜４６ｅ等の表示の形態は、各領域の表示内容の把握と識別を容易にするために、既述の例示にこだわらず、それらの形状、色、模様、指針が指示する角度範囲等を自由に設定してよいし、あるいは文字や記号を併記してもよい。例えば、電池残量が最も多い領域４５ａや４６ａの色を濃くし、電池残量が最も少ない領域４５ｄや４６ｅの色を薄くし、その中間の領域４５ｂ，４５ｃ，４６ｂ，４６ｃの色を、中間の濃さにすることにより、色の濃さで、電池残量を識別容易にしても良い。
（５）指針（４１）の色や形態についても自由である。また、専用の指針を設けず、時刻表示用の時針、分針、秒針、あるいは他の機能指示針を流用してもよい。また、実施例２
のよう指針が複数の指示部を有する場合、複数の指示部は指針の回転軸の反対側（１８０度）に設けることに限定されない。例えば、両指示部４１ａと４１ｂとが９０度の角をなしてもよい。
（６）指針がある領域を指すとき、電池残量を粗い段階の１つとして示すのではなく、その領域内での細かい変位によって、電池残量の変化を更に細かく表示してもよい。
（７）電池残量を表示する段階の数（細かさ）は任意である。また、残量に応じて表示の粗密を変えてもよい。
（８）各表示部の形態は自由である。その他にも、本発明の範囲内で、種々の変形が可能である。例えば、指針４１の可動範囲が３６０度未満の扇表示とし、その範囲内に第１表示部４５と第２表示部４６を設けても良い。また、リンクＯＮ，リンクＯＦＦ以外の状態である第３状態であることを表示する表示部を設けても良い。例えば、図２に示した第１〜第３表示部４５，４６，４８に、通信手段が電池残量にかかわらず、外部操作部材によるリンク接続を禁止するリンクＯＦＦ状態であることと、電池残量とを同時に表示する第４表示部を追加しても良い。この場合は、第１〜第３表示部４５，４６，４８の回転範囲を狭くして、３６０度までの余剰の角度範囲を第４回転範囲とし、そこに第４表示部を設けることで実現することができる。
【符号の説明】
【００８９】
１  電子時計
２  電子回路
２１  無線通信手段
２２  電池電圧検出手段
２３  制御手段
２４  指針駆動手段
３  時計の表示面
３ａ  時針
３ｂ  分針
４  表示部
４１  指針
４２、４２’  仮想直線
４３、４３ａ、４３ｂ  第１回転範囲
４４、４４ａ、４４ｂ  第２回転範囲
４５  第１表示部
４５ａ、４５ｂ、４５ｃ  第１表示部の領域
４５ｄ  残量低下表示部
４６  第２表示部
４６ａ、４６ｂ、４６ｃ、４６ｄ、４６ｅ  第２表示部の領域
４６ｄ  残量低下表示部
４７  第３回転範囲
４８  第３表示部
５、６  他の表示部
７（７ａ、７ｂ、７ｃ）  外部操作部材
８  電池
１５０  特許文献１におけるモニタ画面
３０１〜３１３  制御手段の動作ステップ
【図１】
2012150035.tif 000003
【図２】
2012150035.tif 000004
【図３】
2012150035.tif 000005
【図４】
2012150035.tif 000006
【図５】
2012150035.tif 000007
【図６】
2012150035.tif 000008
【図７】
2012150035.tif 000009
【図８】
2012150035.tif 000010
【図９】
2012150035.tif 000011
【図１０】
2012150035.tif 000012
【図１１】
2012150035.tif 000013
【図１２】
2012150035.tif 000014